(57)【要約】【課題】  ユーザのスライドショーの目的に応じて、スライドショーで使用する画像のサイズを切り換える事で、さまざまなユーザに対してストレスの少ないスライドショーの機能を実現することを目的とする。【解決手段】  記憶媒体からの画像データを読み出す読出手段と、前記読出手段によって読み出された画像データを再生して表示する表示手段と、記憶媒体に記憶されている複数の画像データを前記読出手段によって読み出して再生した画像を一定時間だけ前記表示手段に表示し、一定時間経過後は他の画像データを前記読出手段によって記憶媒体から読み出して順次再生して表示する順次表示手段と、表示する画像を、画像データのサムネイルから表示するか、画像の主画像から表示するか選択できる表示画像データ選択手段を持つ画像処理装置。【選択図】        図１
2006165995.tif 000002
【特許請求の範囲】
【請求項１】
記憶媒体からの画像データを読み出す読出手段と、
前記読出手段によって読み出された画像データを再生して表示する表示手段と、
記憶媒体に記憶されている複数の画像データを前記読出手段によって読み出して再生した画像を一定時間だけ前記表示手段に表示し、一定時間経過後は他の画像データを前記読出手段によって記憶媒体から読み出して順次再生して表示する順次表示手段と、
表示する画像を、画像データのサムネイルから表示するか、画像の主画像から表示するか選択できる表示画像データ選択手段を有し、
前記順次表示手段により画像を前記表示手段に表示する際に、前記データ種類選択手段によって表示に使用する画像をサムネイルか主画像かを選択でき、前記順次表示手段で表示することを特徴とする画像処理装置。
【請求項２】
記憶媒体からの画像データを読み出す読出工程と、
前記読出工程によって読み出された画像データを再生して表示する表示工程と、
記憶媒体に記憶されている複数の画像データを前記読出工程によって読み出して再生した画像を一定時間だけ前記表示工程に表示し、一定時間経過後は他の画像データを前記読出工程によって記憶媒体から読み出して順次再生して表示する順次表示工程と、
表示する画像を、画像データのサムネイルから表示するか、画像の主画像から表示するか選択できる表示画像データ選択工程を有し、
前記順次表示工程により画像を前記表示工程に表示する際に、前記データ種類選択工程によって表示に使用する画像をサムネイルか主画像かを選択でき、前記順次表示工程で表示することを特徴とする画像処理方法。
【発明の詳細な説明】
【技術分野】
【０００１】
本発明は、記憶媒体に記録されている画像データを読出し、順次表示する機能を有する画像処理装置および画像処理方法に関する。
【背景技術】
【０００２】
近年、スキャナ、プリンタ、ＦＡＸなどが一体となった複合画像処理装置（以下ＭＦＰ）に記憶媒体を挿入したり、デジタル・スチル・カメラ（以下ＤＳＣ）を直接ＭＦＰに接続することで、画像データを取り込み、印刷する機能を搭載したＭＦＰが登場し、ＰＣを使用せずにＤＳＣで撮影した画像データを印刷する需要が増加している。さらに、ＭＦＰに挿入した記憶媒体から読み出した画像データを再生して表示するための小型の液晶ディスプレイ（以下ＬＣＤ）を搭載した機種が増えてきている。
【０００３】
一方、記憶媒体に記憶されている静止画像をＬＣＤなどに順次表示していくスライドショー機能を搭載することで、パーソナル・コンピュータ（以下ＰＣ）無しでも簡単に記憶媒体の中の画像データを閲覧できるようになってきた。
【０００４】
特許文献１では、記憶媒体から画像を再生する画像再生装置であって、前記記憶媒体から前記画像を再生する再生手段と、前記再生手段によって再生された画像を表示する表示手段と、前記再生手段を操作する操作手段と、前記再生手段によって前記画像を一定時間間隔で逐次再生するインターバル再生モードを実行中に前記操作手段の所定操作を検出する検出手段と、前記所定操作が検出されたタイミングで前記表示手段に表示される画像の前記インターバル再生モードにおける再生を禁止する禁止手段とを有することを特徴とする画像再生装置に関する提案がなされている。
【特許文献１】特開２００３−２０９８０９号公報
【発明の開示】
【発明が解決しようとする課題】
【０００５】
しかしながら、画像の表示において、装置の画像処理が高機能ではない場合、表示に時間がかかってしまう事が想定される。特にコンシューマ向けの装置となると、コストダウンがなされて、パソコンなどとは異なり、画像を表示するだけでもかなりのパフォーマンスがかかってしまう。
【０００６】
一方、デジタルカメラの発達に伴い、デジタルカメラの画像は詳細になりサイズが大きくなってきているため、サイズが大きい画像が増えている。そのため、スライドショーにおいて、画像表示のパフォーマンスが要求されてしまう現状がある。
【０００７】
そこで、スライドショーにおいて一定時間ごとに速やかに表示して欲しいという要望が満たせなくなってしまう。しかし単純に画像データを圧縮したデータを表示したとしても、スライドショーしている画像の品質が下がってしまう。スライドショーという機能はユーザによっては、すばやく表示をしたいユーザもいれば、きれいにじっくり表示したいユーザもいるため、両方に対して満足な仕様が満たせなかった。
【０００８】
本発明は、以上の点に着目して成されたもので、ユーザのスライドショーの目的に応じて、スライドショーで使用する画像のサイズを切り換える事で、さまざまなユーザに対してストレスの少ないスライドショーの機能を実現する画像処理装置および画像処理方法を提供することを目的とする。
【課題を解決するための手段】
【０００９】
本件ではスライドショーを行う場合において、スライドショーの設定として、“はやい”と“きれい”の２つのモードを用意し、スライドショーを行う際にその設定値毎に画像表示に使用するデータを変える方法を取る。具体的には“はやい”表示の際には、画像が画像サムネイルデータを持っている場合はサムネイルのデータを表示する。一方、“きれい”に設定されている場合は、画像の主画像を表示データとして使用する。
【００１０】
なお、さらに詳細に説明すれば、本発明は下記の構成によって前記課題を解決できた。
【００１１】
（１）記憶媒体からの画像データを読み出す読出手段と、前記読出手段によって読み出された画像データを再生して表示する表示手段と、記憶媒体に記憶されている複数の画像データを前記読出手段によって読み出して再生した画像を一定時間だけ前記表示手段に表示し、一定時間経過後は他の画像データを前記読出手段によって記憶媒体から読み出して順次再生して表示する順次表示手段と、表示する画像を、画像データのサムネイルから表示するか、画像の主画像から表示するか選択できる表示画像データ選択手段を有し、前記順次表示手段により画像を前記表示手段に表示する際に、前記データ種類選択手段によって表示に使用する画像をサムネイルか主画像かを選択でき、前記順次表示手段で表示することを特徴とする画像処理装置。
【００１２】
（２）記憶媒体からの画像データを読み出す読出工程と、前記読出工程によって読み出された画像データを再生して表示する表示工程と、記憶媒体に記憶されている複数の画像データを前記読出工程によって読み出して再生した画像を一定時間だけ前記表示工程に表示し、一定時間経過後は他の画像データを前記読出工程によって記憶媒体から読み出して順次再生して表示する順次表示工程と、表示する画像を、画像データのサムネイルから表示するか、画像の主画像から表示するか選択できる表示画像データ選択工程を有し、前記順次表示工程により画像を前記表示工程に表示する際に、前記データ種類選択工程によって表示に使用する画像をサムネイルか主画像かを選択でき、前記順次表示工程で表示することを特徴とする画像処理方法。
【発明の効果】
【００１３】
画像処理機能が高機能ではない装置においても、はやく表示して欲しいという要望ときれいに表示して欲しいという要望の両方の機能を持つスライドショーが可能となり、ユーザビリティの向上が期待される。
【発明を実施するための最良の形態】
【００１４】
以下本発明を実施するための最良の形態を、実施例により詳しく説明する。
【実施例１】
【００１５】
まず、画像処理システムを構成する画像処理装置１００の概略を詳細に説明する。
【００１６】
図１は、本発明の実施例である画像処理システムを構成する画像処理装置１００の概略構成を示すブロック図である。
【００１７】
画像処理装置１００において、ＣＰＵ１０１は、システム制御部であり、画像処理装置１００の全体を制御する。
【００１８】
ＲＯＭ１０２は、ＣＰＵ１０１が実行する制御プログラムや組み込みオペレーティングシステム（ＯＳ）プログラム等を格納する。上記実施例では、ＲＯＭ１０２に格納されている各制御プログラムは、ＲＯＭ１０２に格納されている組み込みＯＳの管理下で、スケジューリングやタスクスイッチ等のソフトウエア制御を行う。
【００１９】
ＲＡＭ１０３は、ＳＲＡＭ（ｓｔａｔｉｃ  ＲＡＭ）等で構成され、プログラム制御変数等を格納し、また、オペレータが登録した設定値や画像処理装置１００の管理データ等を格納し、各種ワーク用バッファ領域が設けられている。
【００２０】
画像メモリ１０４は、ＤＲＡＭ（ｄｙｎａｍｉｃ  ＲＡＭ）等で構成され、画像データを蓄積する。
【００２１】
データ変換部１０５は、ページ記述言語（ＰＤＬ）等の解析や、キャラクタデータのＣＧ（ｃｏｍｐｕｔｅｒ  ｇｒａｐｈｉｃｓ）展開等、画像データの変換を行う。
【００２２】
読取制御部１０６は、読取部１０７が、ＣＩＳイメージセンサ（密着型イメージセンサ）によって原稿を光学的に読み取り、電気的な画像データに変換した画像信号を、図示しない画像処理制御部を介して、２値化処理や中間調処理等の各種画像処理を施し、高精細な画像データを出力する。なお、上記実施例では、読取制御部１０６は、原稿を搬送しながら読み取りを行うシート読取制御方式と、原稿台にある原稿をスキャンするブック読取制御方式の両制御方式に対応している。
【００２３】
操作表示部１０８は、数値入力キー、文字入力キー、ワンタッチ電話番号キー、モード設定キー、決定キー、取り消しキー等を備え、ユーザが画像送信相手先データの決定や登録値の設定データや省エネモードの設定の登録動作を行うための操作部と、各種キー、ＬＥＤ（発光ダイオード）とＬＣＤ（液晶ディスプレイ）等によって構成され、オペレータによる各種入力操作や、画像処理装置１００の動作状況、ステータス状況の表示等を行う表示部である。また、メモリカード１１８内の画像データを展開し表示する事も可能である。表示時は印刷で使用するデータ変換部１０５で画像展開を行う。
【００２４】
通信制御部１０９は、ＭＯＤＥＭ（変復調装置）や、ＮＣＵ（網制御装置）等によって構成されている。上記実施例では、通信制御部１０９は、アナログの通信回線（ＰＳＴＮ）１３１に接続され、Ｔ３０プロトコルでの通信制御、通信回線に対する発呼と着呼等の回線制御を行っている。
【００２５】
解像度変換処理部１１０は、画像データのミリ−インチ解像度変換等の解像度変換制御を行う。なお、解像度変換部１１０において、画像データの拡大縮小処理も可能である。
【００２６】
符号復号化処理部１１１は、画像処理装置１００で扱う画像データ（ＭＨ、ＭＲ、ＭＭＲ、ＪＢＩＧ、ＪＰＥＧ等）を符号復号化処理や、拡大縮小処理を行う。
【００２７】
記録制御部１１２は、印刷される画像データに対し、図示しない画像処理制御部を介して、スムージング処理や記録濃度補正処理、色補正等の各種画像処理を施し、高精細な画像データに変換し、記録部１１３（後述）に出力する。また、記録部１１３を制御することにより、定期的に記録部１１３の状態情報を取得する役割も果たす。
【００２８】
記録部１１３は、レーザビームプリンタやインクジェットプリンタ等からなる印刷装置であり、カラー画像データ、またはモノクロ画像データを印刷部材に印刷する。
【００２９】
給紙部１１４は印刷のための用紙を保持する事ができる部位である。記録制御部１１２からの制御で給紙部１１４から給紙を行うことができる。特に給紙部は複数種類の用紙を一つの装置に保持するために、複数の給紙部を用意する事ができる。そして記録制御部１１２により、どの給紙部から給紙を行うかの制御を行うことができる。
【００３０】
ＵＳＢファンクション制御部１１５は、ＵＳＢインタフェースの通信制御を行うものであり、ＵＳＢ通信規格に従って、プロトコル制御を行い、ＣＰＵ１０１が実行するＵＳＢ制御タスクからのデータを、パケットに変換し、外部の情報処理端末に、ＵＳＢパケット送信を行ったり、逆に、外部の情報処理端末からのＵＳＢパケットを、データに変換してＣＰＵ１０１に対し送信を行ったりする。
【００３１】
データ蓄積部１１６はデータを蓄積するための部位である。画像メモリ１０４でのＤＲＡＭではデータバックアップ用の領域を用意していないため、本実施例ではデータ蓄積部としてデータ保存領域を用意している。画像メモリ１０４と共有する場合もある。データ蓄積部１１６にデータのバックアップなどを行う事が出来る。本実施例ではＤＲＡＭを用いているが、ハードディスクや揮発性メモリ等を使用する場合もなるのでこの限りではない。
【００３２】
ＵＳＢホスト制御部１１７は、ＵＳＢ通信規格で定められたプロトコルで通信を行う為の制御部である。ＵＳＢ通信規格は、双方向のデータ通信を高速に行うことが出来る規格であり、１台のホスト（マスター）に対し、複数のハブまたはファンクション（スレーブ）を接続することが出来る。
【００３３】
メモリカード１１８はデータ記憶媒体であり、画像処理装置１００に接続する事が出来る。本実施例ではＵＳＢホスト制御部１１７とインタフェースで接続されているが、この限りではない。メモリカードには画像のデータやその他電子データはＵＳＢホスト制御部１１７を通じてメモリカード内のデータにアクセスする事が出来る。
【００３４】
本実施例においては、記録機能のＵＳＢ通信は１対１の接続形態を用いる。
【００３５】
上記構成要素１０１〜１０６、１０８〜１１４は、ＣＰＵ１０１が管理するＣＰＵバス１２１を介して、相互に接続されている。
【００３６】
図２は画像処理装置１００の操作部１０８の具体例を示す一実施例である。
【００３７】
操作部１０８はＬＣＤ２０１と、電源キー２０２と、コピーモードキー２０３と、フィルムモードキー２０４と、スキャンモードキー２０５と、フォトモードキー２０６と、メニューキー２０７と、戻るキー２０８と、フォトインデックスシートキー２０９と、マイナスキー２１０と、プラスキー２１１と、セットキー２１２と、スライドショーキー２１３と、用紙設定キー２１４と、フィーダーセレクトキー２１５と、ＳＴＯＰキー２１６と、モノクロスタートキー２１７と、カラースタートキー２１８を有する。
【００３８】
ＬＣＤディスプレイ２０１は、メッセージやオペレーションプロンプト、各種情報を表示するディスプレイである。
【００３９】
電源キー２０２は装置の電源をＯＮ／ＯＦＦするためのキーである。
【００４０】
コピーモードキー２０３は画像処理装置１００をコピーが出来る状態にするためのキーである。コピーモードキー２０３を押下することで装置をコピーモードにすることができる。
【００４１】
フィルムモードキー２０４は画像処理装置１００をフィルムからの印刷が出来る状態にするためのキーである。フィルムモードキー２０４を押下することで装置をファックスモードにすることができる。
【００４２】
スキャンモードキー２０５は画像処理装置１００をスキャンが出来る状態にするためのキーである。スキャンモードキー２０５を押下することで装置をファックスモードにすることができる。
【００４３】
フォトモードキー２０６は画像処理装置１００をデジタル写真のカードやカメラからのダイレクト印刷が出来る状態にするためのキーである。フォトモードキー２０６を押下することで装置をフォトモードにすることができる。
【００４４】
メニューキー２０７はコピーやファックス、カードからのダイレクト印刷などの実行時の設定値を設定する項目を表示するためのキーである。メニューキー２０７を押下する事で実行用の設定項目をＬＣＤ２０１に表示する事が出来、プラスキー２１１やマイナスキー２１０などで選択し、セットキー２１２でセットすることが出来る。
【００４５】
戻る設定キー２０８はユーザが装置に設定する設定値を登録する際に、操作を戻すために使用するキーである。
【００４６】
フォトインデックスシートキー２０９はフォトインデックスシートを印刷もしくは読取を行うための画面に移行することの出来るキーである。画像処理装置１００にメモリカード１１８が挿入された状態においてこのキーが押下されたら、フォトインデックスシートの印刷、もしくは読取を指示できる画面に移行する。プラスキー２１１やマイナスキー２１０などで読取が印刷かを選択し、セットキー２１２でセットすることが出来る。なお、フォトインデックスシートについては、図３で詳細を説明する。
【００４７】
マイナスキー２１０、プラスキー２１１はメニューやユーザ登録など、ユーザが複数の選択肢から選択を行う際に使用されるキーである。マイナス、プラスはそれぞれ逆順、正順である。
【００４８】
セットキー２１２は選択された項目に対して決定を行うキーである。
【００４９】
スライドショーキー２１３は表示を用いてメモリカード１１８の画像を表示部１０８に順に表示していく仕様である。
【００５０】
用紙設定キー２１４は、押すことによって、コピーやその他印刷の設定の用紙設定を行うキーである。
【００５１】
フィーダーセレクトキー２１５は給紙部１１４の給紙部が複数の給紙部位を持つ際に、使用する給紙部に切り換えを行う際に使用するキーである。
【００５２】
ＳＴＯＰキー２１６はファクシミリ送受信、コピーやその他のオペレーション操作を停止させるキーである。
【００５３】
モノクロスタートキー２１７は白黒ファクシミリ送信、白黒コピーなどを開始するキーである。
【００５４】
カラースタートキー２１８をカラーファクシミリ送信、カラーコピーを、カラー写真印刷などを開始するキーである。
【００５５】
図３はメモリカード内の画像のフォーマットの一実施例を示す。
【００５６】
メモリカードの中には画像データや音楽データ、テキストデータなどのデジタルデータが記憶できる。その中でも、本実施例では、メモリカード内の画像データを表示することができる装置である。特に本件では図３に示すような画像フォーマットを持つ画像を対象にしている。デジタルカメラで撮影された画像はこのようなフォーマットで保存されている場合が多い。
【００５７】
まず、画像のタグ情報としていくつかの情報をもっている。実施例では画素数、撮影日時、機種名などの情報が入っている。次にフォーマットとして、サムネイル情報をもっている。サムネイル情報はその画像の縮小版といえるもので、その画像の１６０×１２０画素サイズの画像である。そして主画像は画像データそのものである。
【００５８】
このようなフォーマットで画像がメモリカードの保存されており、表示や印刷などで使用される情報となる。
【００５９】
なお本実施例ではサムネイルは１６０×１２０画素サイズとしているが、画像の縮小された情報であればこの限りではない。
【００６０】
図４はスライドショーのモード設定の一実施例である。
【００６１】
これは装置１００においてのスライドショーのモード設定のフローである。まずステップ４０１においてスライドショーのモードを設定されたかどうかの判別を行う。具体的には操作部のメニューキー２０７押下により、スライドショーのモード設定項目を選択することで設定を行う。もしスライドショーのモードを設定された場合は、次にステップ４０２にいく。スライドショーのモードを設定されない場合、ステップ４０１において給紙切換が行われるかどうか待ちつづける。
【００６２】
ステップ４０２ではスライドショーのモードが何に設定されるか、ユーザに促し、選択を行ってもらう。ユーザが“きれい”を選択した際はステップ４０３においてスライドショーのモードを“きれい”に設定する。ユーザが“はやい”を選択した際はステップ４０４においてスライドショーのモードを“はやい”に設定する。
【００６３】
上に示した方法により、スライドショーのモードの設定を行う事ができる。なお本実施例ではスライドショーの設定を二種類に設定したが、設定により取得する画像を変更する設定値である場合はこの限りではない。
【００６４】
図５はスライドショーの動作の一実施例である。
【００６５】
これは装置１００においてスライドショーが行われる際のフローである。
【００６６】
まずステップ５０１においてスライドショーが行われるキーが押下されたかどうかの判別を行う。もしスライドショーキーが押下された場合は、次にステップ５０２にいく。スライドショーキーが押下されない場合ステップ５０１においてスライドショーキーが押下されるかどうか待ちつづける。
【００６７】
ステップ５０２ではスライドショーに表示する画像をメモリカード内から呼び出す。そのためにメモリカードに画像が入っているか確認を行う。次にステップ５０３に移行する。ステップ５０３ではメモリカード内に画像があるかの判別を行う。もし画像があれば次にステップ５０４においてスライドショーの動作を行う。動作の詳細は図６で示す。またステップ５０３においてメモリカード内に画像がないと判別された場合はステップ５０５においてスライドショーができないことを表示する。
【００６８】
上記図のようにスライドショーの実行を行う。本実施例においてはスライドショーの実行をボタン押下により実現しているが、スライドショー機能を開始する場合はこの限りではない。
【００６９】
次に図６にてスライドショー時の表示用の画像選択の一実施例を示す。
【００７０】
ここではスライドショー時に画像の表示を行うが、設定に応じて表示する画像を変えることができる。特にここでは表示のための処理に時間がかかる装置においても、デジタルカメラなどで使用されている画像フォーマットを使用した場合のサムネイル画像を使用することで、表示をすばやく行うことができるため、ユーザの設定通りの動作を性能の高い機械でなくても実現する事ができる。
【００７１】
ここでまずｎをメモリカード１１８の中の画像の順番とする。そしてＭをメモリカード１１８に入っている画像の画像数とする。
【００７２】
まずステップ６０１において現在の画像数ｎを１にしてステップ６０２に移行する。ステップ６０２ではｎ番目の画像データをメモリカード１１８から呼び出す。
【００７３】
次にステップ６０３においてスライドショーのモードの設定による判別を行う。これは図４によって設定されたものである。モードがもし“きれい”であればステップ６０４にいきメモリカード内のｎ番目の画像の主画像データを取得する。ステップ６０４で画像を取得したら次にステップ６１０に移行する。ステップ６１０では、ステップ６０５もしくは６０８の表示を５秒間表示する。次にステップ６１１において何かキーが押下されたか否かの判別を行う。
【００７４】
スライドショーはキー押下により動作が止まるのでここでキーの押下を確認する。もしキーが押下されていれば処理を終了する。もしキーが押下されてなければ次にステップ６０９に移行する。
【００７５】
ステップ６０９では現在の画像数ｎがメモリカード１１８の中の画像数Ｍに比べて少ないかどうかの判別を行う。もし少ない場合は、次にステップ６１３にいき、ｎを１増加させ次の画像を表示するように再びステップ６０２に移行する。ステップ６０９でｎはＭより小さくないと判別された場合は、次にステップ６１２でｎを初期化して１にする。この場合はスライドショーはメモリカード１１８の画像全て表示した状態である。そのためステップ６１２でｎを初期化して、ステップ６０２にいくことで再びメモリカード１１８の画像の初めから表示を開始する。
【００７６】
このようにする事でスライドショーの設定によってメモリカード１１８の画像を主画像を取得するか、サムネイルを取得するかの動作を行う事ができる。サムネイルの表示の場合は装置の画像処理装置が性能低い場合でも、表示を速やかに行う事ができる。そのため、ここで設定したスライドショーを早く表示させるための方法として使用可能な方法である。またこのようにしてスライドショーの設定が二種類できる事で、ユーザの目的に応じて、画像をたくさんはやく見たい場合は“はやい”設定、画像を綺麗にじっくり見たい場合は“きれい”設定ととすることで、同じ機能でもユーザの複数種類の要望にこたえることができるため、よりユーザビリティの高い機能にする事が可能である。
【００７７】
以上、示したようにする事でスライドショーの機能において画像を速やかに表示したい場合と、画像をじっくり綺麗に表示したい場合で、表示する画像のサムネイルや種画像を使い分ける事で目的に応じた処理が行う事ができる。
【産業上の利用可能性】
【００７８】
メモリカードの処理を装置で行い、かつ外部接続機器から装置に挿入されたメモリカードの処理を行うことができる装置。
【図面の簡単な説明】
【００７９】
【図１】画像処理装置の構成を示す構成図
【図２】画像処理装置における操作部の一実施例を示す図
【図３】メモリカード内の画像のフォーマットの一実施例を示す図
【図４】スライドショーのモード設定の一実施例を示す図
【図５】スライドショーの動作の一実施例を示す図
【図６】スライドショー時の表示用の画像選択の一実施例を示す図
【符号の説明】
【００８０】
１００  画像処理装置
１０１  ＣＰＵ
１０２  ＲＯＭ
１０３  ＲＡＭ
１０４  画像メモリ
１０５  データ変換部
１０６  読取制御部
１０７  読取部
１０８  操作、表示部
１０９  通信制御部
１１０  解像度変換処理部
１１１  符号復号化処理部
１１２  記録制御部
１１３  記録部
１１４  ＵＳＢホスト制御部
１１５  ＵＳＢファンクション制御部
１１６  記録部信号線制御部
１１７  デジタルカメラ
１１８  メモリカード
１２１  ＣＰＵバス
１３１  通信回線
２０１  ＬＣＤ表示部
２０２  電源キー
２０３  コピーモードキー
２０４  ファックスモードキー
２０５  スキャンモードキー
２０６  フォトモードキー
２０７  メニューキー
２０８  戻るキー
２０９  フォトインデックスシートキー
２１０  マイナスキー
２１１  プラスキー
２１２  セットキー
２１３  電話帳キー
２１４  リダイアルキー
２１５  テンキー群
２１６  ＳＴＯＰキー
２１７  モノクロスタートキー
２１８  カラースタートキー
【図１】
2006165995.tif 000003
【図２】
2006165995.tif 000004
【図３】
2006165995.tif 000005
【図４】
2006165995.tif 000006
【図５】
2006165995.tif 000007
【図６】
2006165995.tif 000008